(57)【要約】【課題】ハンドバッグ等に収容して持ち歩く携帯用として小型の電解装置を提供する。【解決手段】水タンク部２と、前記水タンク部２から流入した水を電気分解する少なくとも第１の電極６Ａと第２の電極６Ｂで構成された電解部５と、前記電解部５に電力を供給する電源部３と、前記電源部３の電力極性を反転させ第１の電極６Ａと第２の電極６Ｂへの電力供給を制御する制御部７と、前記電解部５で電解された水を噴霧する噴霧部４を備え、第１の電極および第２の電極は次亜塩素酸とオゾンと金属イオンの少なくとも２種類を同時もしくは各々を単独で生成する構成とすることで、対象物によって活性種を使い分けることができ、除菌や消臭性能を向上できる。【選択図】図１
2020011159.tif 000002
【特許請求の範囲】
【請求項１】
水タンク部と、前記水タンク部から流入した水を電気分解する少なくとも第１の電極と第２の電極で構成された電解部と、前記電解部に電力を供給する電源部と、前記電源部の電力極性を反転させ第１の電極と第２の電極への電力供給を制御する制御部と、前記電解部で電解された水を噴霧する噴霧部を備え、第１の電極および第２の電極は、次亜塩素酸とオゾンと金属イオンの少なくとも２種類を同時もしくは各々を単独で生成する構成とした携帯用電解水噴霧器。
【請求項２】
生成活性種を選択できる切替手段を設け、前記制御部は、前記切替手段の出力によって第１の電極と第２の電極への電力供給を制御する請求項１に記載の携帯用電解水噴霧器。
【請求項３】
少なくとも前記第１の電極は、金属基板の表面に電極触媒を備え、前記電極触媒は、タンタル酸化物、もしくは、タンタル酸化物と白金とで形成される前記請求項１に記載の携帯用電解水噴霧器。
【請求項４】
前記第２の電極は少なくともＡｇ、Ｃｕ、Ｚｎイオンを生成するため、これらの金属を含む電極触媒もしくは基材で構成される請求項１記載の携帯用電解水噴霧器。
【発明の詳細な説明】
【技術分野】
【０００１】
本発明は、水を電気分解し、活性物質を生成する電解装置に関する。特に、外出時に持ち歩き、任意の部位に電解水を噴霧してその部位を除菌消臭することに適する携帯用の電解水噴霧器に関する。
【背景技術】
【０００２】
病院、人が出入りする施設、あるいは、家庭内で手指等を除菌する機器として、容器に収容した塩素化合物の溶液を電気分解し、次亜塩素酸水を生成して、容器のスプレー部から噴霧する次亜塩素酸生成噴霧器が知られている（例えば、特許文献１参照）。
【０００３】
特許文献１の次亜塩素酸生成噴霧器は、多量の塩素化合物の溶液を容器に収容し、この容器の上端にトリガスプレーを着脱自在に取り付け、０．１ｍｌ〜１ｍｌの塩素化合物の溶液を容器内から汲み上げてノズルから噴霧するものである。
【０００４】
また、携帯用の電解水噴霧器が提案されている（例えば、特許文献２参照）。
【０００５】
図４は、特許文献２に開示される従来技術の断面図である。
【０００６】
図４に示す従来の電解水噴霧器は、外観を円筒状に形成して、中間部に上面開口の筒状水タンク部１２、下部に電源部１３、上部に噴霧部１４を配置している。水タンク部１２内には、筒状の電解部１５が水タンク部１２の軸方向に配置されている。電解部１５は、内部に電極１６を配置し、下部から流入する水タンク部１２の水を電解してオゾン水を生成する。生成されたオゾン水は、噴霧部１４先端のノズルから噴霧し、除菌する構成となっている。
【先行技術文献】
【特許文献】
【０００７】
【特許文献１】特開２００４−１３０２６３号公報
【特許文献２】特開２０１１−０９２８８３号公報
【発明の概要】
【発明が解決しようとする課題】
【０００８】
しかしながら、特許文献１の次亜塩素酸生成噴霧器は、病院、施設、あるいは、家庭の棚等に設置して使用するものであり、図示された全体形態からして大きく、携帯用としては不向きである。さらに、次亜塩素酸を噴霧するが、次亜塩素酸は、酸化力が弱いため、殺菌するのに時間を要するとともに、分解しにくい加齢臭やカビ臭の消臭は困難であるという課題がある。
【０００９】
また、特許文献２の電解水噴霧器は、オゾン水を噴霧し、除菌するものである。オゾン水は、酸化力が高く、即効性がある。このため、手や便座、テーブルなどの除菌を短時間で行え、加齢臭、カビ臭などの消臭には適している。
【００１０】
しかしながら、オゾン水は、酸化持続性がないため、衣類などのファブリック製品に対する除菌の場合、布にオゾンが消費され、衣類の除菌や消臭性能の確保が困難であるという課題がある。
【００１１】
本発明は、手やテーブル、便座など任意の部位を除菌するとともに、衣類などのファブ
リック製品や靴などの除菌消臭を行なえる携帯用電解水噴霧器を提供することを目的とする。
【課題を解決するための手段】
【００１２】
上記従来の課題を解決するために、本発明の携帯用電解水噴霧器は、水タンク部と、前記水タンク部から流入した水を電気分解する少なくとも第１の電極と第２の電極で構成された電解部と、前記電解部に電力を供給する電源部と、前記電源部の電力極性を反転させ第１の電極と第２の電極への電力供給を制御する制御部と、前記電解部で電解された水を噴霧する噴霧部を備え、第１の電極および第２の電極は、次亜塩素酸とオゾンと金属イオンの少なくとも２種類を同時もしくは各々を単独で生成する構成としたものである。
【００１３】
本発明によれば、外出時にハンドバッグ等に収容して持ち歩くことが可能な小型化設計と、手やテーブル、便座など任意の部位を除菌するだけでなく、衣類などのファブリック製品や靴などの除菌消臭、さらには菌の増殖予防による抗菌消臭なども実現可能な電携帯用電解水噴霧器を提供できる。
【発明の効果】
【００１４】
本発明によれば、外出時にハンドバッグ等に収容して持ち歩くことが可能な小型化設計と、手やテーブル、便座など任意の部位を除菌するだけでなく、衣類などのファブリック製品や靴などの除菌消臭、さらには菌の増殖予防による抗菌消臭も実現可能な電携帯用電解水噴霧器を提供できる。
【図面の簡単な説明】
【００１５】
【図１】本発明の実施の形態に係る携帯用電解水噴霧器の内部構成を示す断面図
【図２】同電解部と電源部の関係を示す分解斜視図
【図３】同電極構成を示す断面図
【図４】従来の携帯用電解水噴霧器の断面図
【発明を実施するための形態】
【００１６】
第１の発明は、水タンク部と、前記水タンク部から流入した水を電気分解する少なくとも第１の電極と第２の電極で構成された電解部と、前記電解部に電力を供給する電源部と、前記電源部の電力極性を反転させ第１の電極と第２の電極への電力供給を制御する制御部と、前記電解部で電解された水を噴霧する噴霧部を備え、第１の電極および第２の電極は、次亜塩素酸とオゾンと金属イオンの少なくとも２種類を同時もしくは各々を単独で生成する構成としたものである。
【００１７】
これにより、本発明の制御手段によって第１の電極と第２の電極への電力供給が制御できるので、２種類の活性種を生成することが可能となり、除菌や消臭対象物によって最適な活性種を用いることができ、除菌や消臭性能を向上することができる。
【００１８】
特に、オゾンは、酸化力が高く即効性があり、手やテーブル、便座などの除菌を可能にし、次亜塩素酸はオゾンに比べ酸化力は低いものの、酸化持続性があるので、衣類などのファブリック製品や靴などの除菌消臭に優れる。さらに、金属イオンは、次亜塩素酸に比べ酸化力は低いが、残留するので、予め対象物に噴霧するなどすれば、菌が付着しても増殖を抑制し、抗菌性能を有することができる。さらに、菌の増殖による悪臭発生も抑制可能となり、臭い発生予防効果も得ることが可能となる。
【００１９】
第２の発明は、特に、第１または第２の発明の第１の電極と第２の電極は、供給される電力の極性を選択する切替手段を設けるものである。
【００２０】
これにより、対象物に最適な活性種を用いた除菌消臭が可能となる。例えば、第１の電極は、オゾン水を生成するためのオゾン発生電極とし、第２の電極は、塩素物質を含む水を生成するための塩素物質発生電極で構成する。この場合、衣類やファブリック製品の除菌消臭には、酸化持続性があり、繊維の奥の菌や臭い成分を分解除去可能な塩素物質を含む水を活用する動作モードを行える。また、テーブルや便座、手などには酸化力が高く即効性を有するオゾン水を活用する動作モードを実行できる。これにより、使い勝手が良いとともに、除菌消臭効果を上げることができる。
【００２１】
また、第２の電極は、金属イオンを生成するための金属イオン発生電極とした場合、対象物に金属イオンを噴霧すると、金属イオンが残留し、菌が付着しても増殖を抑制し、抗菌性能を有することができる。さらに、菌の増殖による悪臭発生も抑制可能となり、臭い発生予防効果も得ることが可能となる。
【００２２】
第３の発明は、特に、第１の発明の衛生デバイスにおいて、少なくとも第１の電極は、金属基板の表面に電極触媒を備え、前記電極触媒は、タンタル酸化物、もしくは、タンタル酸化物と白金とで形成されるものである。
【００２３】
これによって、低い電流密度で高効率にオゾンを生成することが可能なため、省電力で酸化処理を実現できるとともに、電力手段を小型化することができ、電池などで駆動することが可能となる。
【００２４】
また、電極触媒に、タンタル酸化物、もしくは、タンタル酸化物と白金とで形成することで、一つの電極から、次亜塩素酸とオゾンの両方を同時に生成することができるため、高効率にラジカルを生成することができる。
【００２５】
さらに、一つの電極から、次亜塩素酸とオゾン、ラジカルを生成できるので、陰極として特殊な電極を使用する必要がなくなり、低コスト化が実現できる。
【００２６】
第４の発明は、特に、前記第２の電極をＡｇ、Ｃｕ、Ｚｎイオンを生成するため、これらの金属を含む電極触媒もしくは基材で構成されるものである。これによって、残留性があり、酸化力の高い金属イオン水を低電流で効率よく生成することができ、電池などで駆動することが可能となる。
【００２７】
以下、本発明の実施の形態について、図面を参照しながら説明する。なお、この実施の形態によって本発明が限定されるものではない。
【００２８】
（実施の形態１）
図１は、本発明の第１の実施の形態に係る携帯用電解水噴霧器の内部構成を示す断面図である。図２は、同電解部と電源部の関係を示す分解斜視図である。図３は、同電極構成を示す断面図である。
【００２９】
図１において、電解装置１は、外観が筒状に形成され、断面形状は、円筒形、楕円形、多角形等の任意の形状を選択できる。電解装置１は、中間部に筒状の水タンク部２、下部に電源部３、上部にプッシュ式の噴霧部４を配置した構成である。
【００３０】
本実施の形態では、電解装置１の外観形状は、水タンク部２と電源部３の外観が、略同じ直径の円筒形に形成している。
【００３１】
図２に示すように、水タンク部２の下部には、電源部３が螺着され、水タンク部２と電源部３とが水密的に保持される。水タンク部２の上部には、噴霧部４が着脱自在に螺着さ
れ、水タンク部２と噴霧部４とが水密的に保持される。水タンク部２の内部が水溜め部となり、噴霧部４を取り外して水タンク部２内に水を溜めることができる。
【００３２】
水タンク部２内の中央部には、筒状の電解部５が水タンク部２の軸方向に配置されている。電解部５は、水タンク部２の水が下部の流入孔から流入し、上面開口から噴霧部４へ流出する。このため、電解装置１は、噴霧部４を上にした垂直状態において、電解部５と水タンク部２の水位が同レベルとなる構成である。
【００３３】
電解部５には、電解水を生成するための電解水生成用の電極６が内部の水に浸るように収容させている。電解水生成用の電極６は、第１の電極６Ａと第２の電極６Ｂから構成される。本実施の形態において、第１の電極６Ａは、オゾンを発生するオゾン発生電極を用い、第２の電極６Ｂは、金属イオンを含む水を生成するための金属イオン発生電極で構成している。特に、本実施の形態においては、金属イオンとしてＡｇイオンを選定し、第２の電極はＡｇ基板を使用した。
【００３４】
電解部５は、筒状体５Ｐ内に第１の電極６Ａと第２の電極６Ｂが所定間隔離間して収容された構成である。第１の電極６Ａと第２の電極６Ｂとの間が水の流通路となる電解室５Ｓを構成している。第１の電極６Ａと第２の電極６Ｂ間の電解室５Ｓ以外の部分に水が存在すると、その水は、オゾンや塩素物質を含んでいない水となり、この水がプッシュ式の噴霧部４から噴霧されると、除菌効果が損なわれる。そのため、電解室５Ｓ以外の部分に水が存在するのを防止するように、電解部５は、第１の電極６Ａと第２の電極６Ｂ間以外の部分を水が流れないようにシール構成としている。
【００３５】
電極６は、第１の電極６Ａと第２の電極６Ｂが電解装置１の軸方向、即ち、水タンク部２の軸方向に平行に収容される。電極６は、２枚乃至５枚の第１の電極６Ａと第２の電極６Ｂで構成される。１枚の第１の電極６Ａと１枚の第２の電極６Ｂの一対で構成することもできる。本実施の形態では、除菌用電解水を効果的に生成するために、電極６の好ましい形態として、１枚の第１の電極６Ａの両側に第２の電極６Ｂを所定間隔を有して配置する構成としている。
【００３６】
電解部５は、電源部３から電極６に電力を供給し、電源部３を制御する制御部７を備えている。制御部７は、第１の電極６Ａと第２の電極６Ｂへの電力の極性を反転させるよう制御する。制御部７が電源部３を第１の電極６Ａが陽極となるよう制御すると、オゾン水が生成される。第２の電極６Ｂが陽極となるよう制御すると、金属イオンであるＡｇイオンを含む水が生成される。
【００３７】
電極６の電極の切替は、電解装置１に配設した切替手段８により選択され、使用者が切替手段８を切り替えて制御部７を制御することで、オゾン水の生成とＡｇのような金属イオンを含む水の生成を選択し、除菌と消臭との対象物に適した活性種を選択することが可能となる。
【００３８】
なお、電解装置１にＬＥＤなどの発光装置（図示せず）を設け、切替手段８の出力に応じて発光装置の色や強度を可変させて、動作モードを視覚化させても良い。
【００３９】
図３の断面図に示すように、本実施の形態の電極６は、第１の電極６Ａの両側に第２の電極６Ｂを配置している。第１の電極６Ａと第２の電極６Ｂは、第１、第２の電極６Ａ、６Ｂ間に絶縁材のスペーサ５Ｂを介して略均一な所定間隔（０．１ｍｍ〜１ｍｍ）を存して対向配置して構成される。本実施の形態では、第１の電極６Ａの両側に第２の電極６Ｂの間の所定間隔は、０．１ｍｍ〜１ｍｍに設定している。
【００４０】
第２の電極６Ｂの電気分解に作用しない非対向面は、絶縁材からなる筒状体５Ｐで覆われている。筒状体５Ｐは、合成樹脂製の熱収縮チューブで構成されている。熱収縮チューブを加熱して収縮させることにより、熱収縮チューブが第１の電極６Ａ、第２の電極６Ｂおよびスペーサ５Ｂの周囲に密着し、筒状体５Ｐが形成される。
【００４１】
これによって、第１の電極６Ａと第２の電極６Ｂとの間に、水の流通路となる電解室５Ｓが形成される。電解室５Ｓに存在する水を電気分解してオゾン、もしくは、Ａｇイオンを含む水を発生させ、各々の電解水を効果的に生成することができる。
【００４２】
なお、制御部７は、噴霧部４の作動時のみ電源部３から第１の電極６Ａおよび第２の電極６Ｂへの電力供給を行う制御を実施する。これにより、噴霧されるオゾンや金属イオンなどの金属イオンを含む水の濃度が動作時間で変動することなく、安定して生成することが可能となる。
【００４３】
電極６は、水タンク部２に噴霧部４を装着した状態で、下端部が電源部３に水密的にシールされ、上端部が噴霧部４に水密的にシールされる。そして、噴霧部４の作動によって噴霧されるとき、実質的に電解室５Ｓ以外の部分を水が流れない筒状構成となる。
【００４４】
電解室５Ｓは、電解水の生成領域であり、板状の第１の電極６Ａとその両側の板状の第２の電極６Ｂ間に生成される。また、電解室５Ｓは、水タンク部２の水を噴霧部４へ流す流路を構成する。これにより、水を水タンク部２から噴霧部４へ流す流路形成を簡素化でき、水タンク部２の中心部に電解部５を配置するコンパクト構成が達成できる。
【００４５】
本実施の形態１において、第１の電極６Ａは、オゾン発生電極であり、金属基板の表面に電極触媒を備えており、電極触媒としてタンタル酸化物を使用している。また、第２の電極６Ｂは、塩素物質生成電極であり、白金イリジウム電極を使用している。
【００４６】
次に、第１の電極６Ａにおいて、電極触媒にタンタル酸化物を用いたことによるオゾン生成のメカニズムについて説明する。
【００４７】
第１の電極６Ａは、電極触媒であるタンタル酸化物の表面と水との界面に、薄い空乏層が形成される。水の電気分解により、第１の電極６Ａの反応で生成された電子は、酸化タンタル表面に形成された空乏層をトンネル効果により通過する。
【００４８】
これにより、電子の授受が行われる電位が、オゾンの酸化還元電位以上になる。その結果、オゾンの生成反応が、より効率的に行われ、オゾンが生成可能になると考えられる。
【００４９】
なお、第１の電極６Ａのオゾン生成用の電極触媒として、例えば、二酸化鉛、ダイヤモンド、白金などを用いることが考えられる。しかし、鉛の場合、環境や人体への影響が懸念される。また、ダイヤモンドや白金などの場合、コスト高や、オゾンの生成効率が低いなどの問題がある。
【００５０】
そこで、本実施の形態１では、電極触媒として、タンタル酸化物を用いることとした。
【００５１】
タンタル酸化物は、白金と比較して、低電流密度でのオゾン生成が可能である。また、タンタル酸化物は、電流密度が低いほどオゾンの生成効率が高まるという特長を有している。さらに、タンタル酸化物は、高い酸素過電圧を有する。
【００５２】
そのため、低い電圧で酸素を発生させることなく、例えば、１．５Ｖ程度を超える程度の電圧で、オゾンを発生させることができる。特に、白金と比べ、タンタル酸化物は、１
／４程度の電力でオゾンを生成することができ、電池や充電池で動作させることが可能となり、携帯用電解水噴霧器に適している。
【００５３】
なお、第１の電極６Ａの電極触媒は、タンタル酸化物と白金で構成しても同様の効果を得ることが可能である。
【００５４】
次に、第２の電極６Ｂは、金属イオン生成電極として、Ａｇイオンを生成すべくＡｇ基板を使用した。前記第２の電極は、少なくとも、Ａｇ、Ｃｕ、Ｚｎイオンを生成すれば良く、第２の電極６Ｂは、上記以外に、例えば、Ａｇ、Ｃｕ、Ｚｎを含む金属基板やＡｇ、Ｃｕ、Ｚｎの金属や金属酸化物を含む電極触媒でも良い。
【００５５】
以上の構成によって、本実施の形態の携帯用電解水噴霧器は、オゾン水と、金属イオンを含む水、例えばＡｇイオン水の両方を選択して生成することが可能である。
【００５６】
特に、オゾンは、高い酸化力と即効性を有するため、例えば、酸化分解が困難な加齢臭の主成分となるノネナールやカビ臭、さらには、皮脂成分を酸化分解することが可能である。さらに、便座やテーブル、手、玩具などに付着した菌も短時間で除菌することが可能となる。
【００５７】
しかし、オゾンは、反応性が高いため、衣類などに付着した菌やタバコ臭については、不向きである。
【００５８】
本実施の形態において、大腸菌を付着させたシャーレに、オゾン水とＡｇイオン水をそれぞれ１ｍｌ噴霧させ、５秒放置後の除菌効果を評価した。その結果、オゾン水は、０．２ｐｐｍで９９％以上の除菌率を達成するのに対し、Ａｇイオン水は、オゾン水の１０倍の濃度の２ｐｐｍでも９９％除菌を達成するのは困難であった。
【００５９】
次に、大腸菌を付着させた布に、オゾン水とＡｇイオン水をそれぞれ１ｍｌ噴霧させ、３時間放置後の除菌効果を評価した。その結果、１ｐｐｍのオゾン水では、９９％の除菌は困難であったが、０．２ｐｐｍのＡｇイオン水は、９９％以上の除菌を達成した。
【００６０】
タバコ臭をしみこませた布に、オゾン水とＡｇイオン水をそれぞれ１ｍｌ噴霧させ、３時間放置後の消臭効果を評価した。その結果、オゾン水では、消臭効果は確認できなかったが、Ａｇイオン水は消臭効果が確認され、市販の衣類消臭剤と同等の効果を得ることができた。
【００６１】
さらに、布に予めオゾン水、Ａｇイオン水をそれぞれ１ｍｌ噴霧させ、３０分後に大腸菌を付着し、１２時間後に菌数を計測した結果、オゾン水を噴霧した布は、菌が増殖していたが、Ａｇイオン水を噴霧した布は、除菌されており、抗菌作用を確認することができた。
【００６２】
なお、第２の電極６Ｂとして、Ａｇイオンを生成するため、Ａｇ基板を使用したが、Ａｇを含む金属基板や電極触媒でも同様の効果を得ることができる。さらに、Ａｇ以外に、Ｃｕ、Ｚｎ金属を含む基板や貴金属酸化物あるいは金属触媒でも同様の効果を得ることができる。
【００６３】
（実施の形態２）
本発明の実施の形態２において、実施の形態１と異なる点は、図１に示す、第２の電極６Ｂとして塩素物質発生電極を使用した点である。
【００６４】
本実施の形態において、第２の電極６Ｂは、電極触媒を白金とイリジウムの合金層からなる電極触媒を使用している。白金単体でも次亜塩素酸を生成するが、イリジウムとの合金層とすることによって、次亜塩素酸の生成効率を向上することが可能である。本実施の形態２においては、白金を６０％、イリジウムを４０％配合した電極触媒を使用した。本材料組成にすることによって、白金のみに比べ、次亜塩素酸の生成効率を約３．５倍に向上することが可能となった。これは、酸素過電圧が低下したためと推察している。
【００６５】
なお、第２の電極６Ｂの電極触媒は、上記以外に、例えば、貴金属または貴金属酸化物を含んでもよい。
【００６６】
以上の構成によって、本実施の形態の携帯用電解水噴霧器は、オゾン水と、塩素物質を含む水、例えば次亜塩素酸の両方を選択して生成することが可能である。
【００６７】
特に、次亜塩素酸は、オゾンに比べ酸化力は低いが、持続性があるため、衣類などに付着した菌やタバコ臭については、不向きであり、酸化持続力を有する次亜塩素酸が適している。
【００６８】
本実施の形態において、大腸菌を付着させたシャーレに、オゾン水と次亜塩素酸水をそれぞれ１ｍｌ噴霧させ、５秒放置後の除菌効果を評価した。その結果、オゾン水は、０．２ｐｐｍで９９％以上の除菌率を達成するのに対し、次亜塩素酸は、オゾン水の１０倍の濃度の２ｐｐｍでも９９％除菌を達成するのは困難であった。
【００６９】
次に、大腸菌を付着させた布に、オゾン水と次亜塩素酸水をそれぞれ１ｍｌ噴霧させ、３０分放置後の除菌効果を評価した。その結果、１ｐｐｍのオゾン水では、９９％の除菌は困難であったが、１８ｐｐｍの次亜塩素酸水は、９９％以上の除菌を達成した。
【００７０】
タバコ臭をしみこませた布に、オゾン水と次亜塩素酸水をそれぞれ１ｍｌ噴霧させ、３０分放置後の消臭効果を評価した。その結果、オゾン水では、消臭効果は確認できなかったが、次亜塩素酸水は、消臭効果が確認され、市販の衣類消臭剤と同等効果を得ることができた。
【００７１】
また、電解装置１は、長期間使用している間に、電極６の表面にカルシウム等のスケールが付着して、電気分解作用が阻害される。電気分解作用の阻害を抑制するため、時々、噴霧部４を水タンク部２から外し、水タンク部２内に水とクエン酸を入れて、水タンク部２内をクエン酸によって洗浄することにより、電極６の表面に付着したカルシウム等のスケールを取り除くことができる。
【００７２】
また、他のスケール除去方法として、制御部７によって、第１の電極６Ａと第２の電極６Ｂに印加する電力極性を反転させることによって、第１の電極６Ａや第２の電極６Ｂにスケール成分が付着することを抑制することも可能である。
【００７３】
これは、第１の電極６Ａを陽極、第２の電極６Ｂを陰極に接続して電力を印加して電気分解した際に、被処理水中に含まれるカルシウムやマグネシウムなどの陽イオンを、電気的に引き寄せることとなる。つまり、電気分解することによって、第２の電極６Ｂの表面は、アルカリ性になり、被処理水中のカルシウムやマグネシウムは、水酸化カルシウムや水酸化カルシウムとして、第２の電極６Ｂの表面に析出する。あるいは、炭酸イオンとの反応により、カルシウムやマグネシウムは、炭酸カルシウムや炭酸マグネシウムとして、第２の電極６Ｂの表面に付着する。
【００７４】
そこで、第１の電極６Ａと第２の電極６Ｂに印加する電力の極性を制御部７によって反
転して電気分解することにより、第２の電極６Ｂの表面に生成される水酸化カルシウムや水酸化カルシウム、炭酸カルシウムや炭酸マグネシウムなどのスケール成分の生成および付着などを抑制できる。
【００７５】
また、第２の電極６Ｂの表面に付着したスケール成分を除去できる。具体的には、電極６の転極により、電極近傍のｐＨが強酸性になる。そのため、電極６表面に析出したスケールの溶解、もしくは、電極界面から剥離させてスケールを電極６表面から除去することができる。よって、スケールの電極付着を抑制できるため、スケール付着による閉塞を防ぎ、スケール付着による電極性能の劣化を抑制可能となり、安定した性能と耐久性を確保することができる。
【００７６】
なお、本実施の形態１において、第１の電極６Ａとして、オゾン発生電極の電極触媒をタンタル酸化物で構成したが、ダイヤモンド電極などを使用しても良い。
【産業上の利用可能性】
【００７７】
本発明に係る携帯用電解水噴霧器は、上記実施例に示した構成に限定されず、種々の形態のものに適用できるものであり、本発明の技術範囲において種々の形態を包含するものである。
【符号の説明】
【００７８】
１  電解装置
２  水タンク部
３  電源部
４  噴霧部
５  電解部
５Ｓ  電解室
６  電極
６Ａ  第１の電極
６Ｂ  第２の電極
７  制御部
８  切替手段
【図１】
2020011159.tif 000003
【図２】
2020011159.tif 000004
【図３】
2020011159.tif 000005
【図４】
2020011159.tif 000006